(57)【特許請求の範囲】
【請求項１】
放電空間を介して対向配置された一対の基板の内の表示面側の基板の内面に、放電ギャップを挟んで配列された対をなす複数の電極と、前記電極を前記放電空間に対して被覆する誘電体層とを備えたプラズマディスプレイパネルであって、
前記電極は、金属膜からなり表示ライン方向に伸びる本体部と、透明導電膜からなり前記本体部から前記放電ギャップ側に突出する突出部と、から構成され、前記表示面側の基板の内面に溝を設け、前記溝の側壁面上に前記放電ギャップ近傍の前記突出部の一部を形成し、前記突出部の一部以外の部分となる前記突出部の他の部分を前記対をなす前記突出部の他の部分同士で同一平面上に形成したことを特徴とするプラズマディスプレイパネル。
【請求項２】
前記対をなす前記突出部の一部同士は前記放電ギャップを介して互いに対向する部分を含むことを特徴とする請求項１記載のプラズマディスプレイパネル。
【請求項３】
前記突出部を放電セル毎に島状に独立させたことを特徴とする請求項１又は２に記載のプラズマディスプレイパネル。
【請求項４】
前記溝は、前記表示面側の基板の内面に形成された透明中間層に形成されていることを特徴とする請求項１〜３いずれか１記載のプラズマディスプレイパネル。
【請求項５】
前記溝は、前記表示面側の基板に直接形成されていることを特徴とする請求項１〜３いずれか１記載のプラズマディスプレイパネル。
【請求項６】
前記誘電体層は、前記放電ギャップ上を除いた部分に形成されていることを特徴とする請求項１〜３いずれか１記載のプラズマディスプレイパネル。
【発明の詳細な説明】
【０００１】
【発明の属する技術分野】
本発明は、面放電型交流駆動方式のプラズマディスプレイパネル（ＰＤＰ）に関する。
【０００２】
【従来の技術】
近年、大型で且つ薄型のカラー表示装置として面放電型交流駆動方式のＰＤＰの実用化が期待されている。従来の面放電型交流駆動方式のＰＤＰの構造の一例を図１４に示す。図１４において、表示面側となる前面ガラス基板１には、対をなす複数の行電極Ｘ，Ｙ、行電極Ｘ，Ｙを被覆する誘電体層４、誘電体層４を被覆するＭｇＯからなる保護層５が形成されている。行電極Ｘ，Ｙは、幅の広いＩＴＯ等の透明導電膜からなる透明電極２とその導電性を補う幅の狭い金属膜からなる金属電極（バス電極）３とから構成されている。
【０００３】
一方、背面側の背面ガラス基板６には、行電極Ｘ，Ｙと直交する方向に配列された列電極Ｄ、列電極Ｄを被覆する蛍光体層７が形成されている。前面ガラス基板１と背面ガラス基板６とは、放電空間８を介して互いに離間配置されている。放電空間８内には希ガスが封入されている。そして、行電極対Ｘ，Ｙと列電極Ｄの各交差部を中心として画素セル（単位発光領域）が形成されている。
【０００４】
上述の誘電体層４は、例えば酸化鉛（ＰｂＯ）を含む低融点ガラスペーストを行電極Ｘ，Ｙ上に塗布し、焼成して形成される。また、金属膜は透明導電膜の導電性を補うために低抵抗であることが要求されることから、Ａｌ（アルミニウム）、Ａｌ合金又はＡｇ（銀）などが用いられている。
【０００５】
【発明が解決しようとする課題】
従来の面放電型ＡＣ−ＰＤＰでは、行電極が全て同一平面上にあるために、電極間に電位差を与えると、放電空間内の電位分布は図１５に示すような歪んだ分布となり、放電空間内の電界強度が弱くなり、放電開始電圧が高くなるという欠点があった。また、アドレス電極の電位やリブの高さの影響も受け易く、不安定な動作となることがあった。本発明は、上記の問題を解決するためになされたものであり、放電開始電圧を低下させ、信頼性を向上させたプラズマディスプレイパネルを提供することを目的とする。
【０００６】
【課題を解決するための手段】
請求項１に記載の発明は、放電空間を介して対向配置された一対の基板の内の表示面側の基板の内面に、放電ギャップを挟んで配列された対をなす複数の電極と、電極を放電空間に対して被覆する誘電体層とを備えたプラズマディスプレイパネルであって、電極は、金属膜からなり表示ライン方向に伸びる本体部と、透明導電膜からなり本体部から放電ギャップ側に突出する突出部と、から構成され、表示面側の基板の内面に溝を設け、溝の側壁面上に放電ギャップ近傍の突出部の一部を形成し、突出部の一部以外の部分となる突出部の他の部分を対をなす突出部の他の部分同士で同一平面上に形成したことを特徴とする。また、請求項２に記載の発明は、請求項１記載のプラズマディスプレイパネルであって、対をなす突出部の一部同士は放電ギャップを介して互いに対向する部分を含むことを特徴とする。また、請求項３に記載の発明は、請求項１又は２に記載のプラズマディスプレイパネルであって、突出部を放電セル毎に島状に独立させたことを特徴とする。
【０００７】
また、請求項４に記載の発明は、請求項１〜３いずれか１記載のプラズマディスプレイパネルであって、溝は、表示面側の基板の内面に形成された透明中間層に形成されていることを特徴とする。
【０００８】
また、請求項５に記載の発明は、請求項１〜３いずれか１記載のプラズマディスプレイパネルであって、溝は、表示面側の基板に直接形成されていることを特徴とする。
【０００９】
また、請求項６に記載の発明は、請求項１〜３いずれか１記載のプラズマディスプレイパネルであって、誘電体層は、放電ギャップ上を除いた部分に形成されていることを特徴とする。
【００１０】
【作用】
本発明によるプラズマディスプレイパネルによれば、溝内に放電ギャップ近傍の電極の一部を形成したので、溝内に電極の対向部が形成され、対向部の電位分布が一様となり、電界強度が増し、その結果放電開始電圧が低下する。
【００１１】
【発明の実施の形態】
図１乃至図３は、１の面放電型ＰＤＰを説明するための図であり、図１は、１のＰＤＰの平面図、図２は、図１のＰＤＰのＡ−Ａ方向の断面図、図３は、電位分布を説明するための図である。
【００１２】
図１及び図２において、対をなす行電極Ｘ，Ｙは、表示ラインＬ方向に伸びる本体部と放電ギャップＧを挟んで対向する突出部とから構成されている。本体部は金属膜からなる金属電極３で構成され、突出部は島状の透明導電膜（ＩＴＯ等）からなる透明電極２で構成されている。透明電極２の放電ギャップＧとは反対側の縁部が金属電極３と電気的に接続されている。また、隔壁９は、行電極Ｘ，Ｙの伸長方向に放電空間を区画して画素セル（単位発光領域）を形成している。尚、放電ギャップＧ内の点線で囲まれた部分、すなわち行電極Ｘ，Ｙの対向する突出部間の点線で囲まれた部分２０は、後述する誘電体層が形成されていない部分を示す。
【００１３】
図２において、表示面側となる前面ガラス基板１には、対をなす行電極Ｘ，Ｙ、行電極Ｘ，Ｙを被覆する誘電体層４、誘電体層４を被覆するＭｇＯからなる保護層５が形成されている。誘電体層４は、行電極Ｘ，Ｙの対向する突出部間の所定領域、すなわち放電ギャップＧ上を除いて形成されている。
【００１４】
一方、背面側の背面ガラス基板６には、行電極Ｘ，Ｙと直交する方向に配列された列電極Ｄ、列電極Ｄを被覆する蛍光体層７、列電極Ｄ間に配置された図示せぬ隔壁９が形成されている。前面ガラス基板１と背面ガラス基板６とは、放電空間８を介して互いに離間配置されている。放電空間８内には希ガスが封入されている。そして、行電極Ｘ，Ｙと列電極Ｄの各交差部を中心として画素セル（単位発光領域）が形成されている。
【００１５】
このように、行電極Ｘ，Ｙの対向する突出部（透明電極２，２）間に誘電体層４が形成されていないため、放電空間８内の放電ギャップＧが対をなす行電極Ｘ，Ｙに近付き、また対をなす行電極Ｘ，Ｙ間に電圧を印加すると、従来誘電体層４内にあった電気力線が放電空間８内に現れる。そして、図３に示すように、対をなす行電極Ｘ，Ｙの各突出部の周囲に電界Ｅが生じ、等電位線が破線で示されるような電位分布となり、放電空間８内の放電ギャップＧにおいて等電位線の密度が高くなる。従って、放電空間８内の放電ギャップＧでの電界強度が強くなり、放電開始電圧を下げることができる。
【００１６】
上述の１の面放電型ＰＤＰでは、放電ギャップＧ内の所定領域に誘電体層４を形成しないように構成したが、放電ギャップＧ内の所定領域上の誘電体層を他の領域より薄く形成した凹部を設け、凹部内の電界強度を強めるようにしても良い。
【００１７】
次に本発明の第１実施形態について図４及び図５に基づいて説明する。図４は、第２実施形態によるＰＤＰの断面図、図５は、電位分布を説明するための図である。図１乃至図３と同じ構成部分については、同じ符号を用い詳細な説明は省略する。
【００１８】
図４及び図５において、上述の１の面放電型ＰＤＰとの相違点は、前面ガラス基板１上に放電ギャップＧの幅と同程度の幅を有する溝１１を有する透明中間層１０を設け、溝１１の側壁１１ａに行電極Ｘ，Ｙの対向する突出部の先端部（透明電極２，２の放電ギャップＧ近傍の一部）を配置するとともに誘電体層４を行電極Ｘ，Ｙを略一様な厚さで被覆する第１誘電体層４ａとそれに重ねて本体部、すなわち金属電極３上に設けられた第２誘電体層（嵩上げ誘電体層）４ｂとで構成したことにある。
【００１９】
透明中間層１０は、前面ガラス基板１上に一様に形成された低融点ガラス層からなり、サンドブラスト法等によるエッチングにより溝１１を設けている。行電極Ｘ，Ｙは、第１実施形態と同様に表示ライン方向に伸びる本体部と放電ギャップＧを挟んで対向する突出部とから構成されている。突出部は、島状の透明導電膜（ＩＴＯ等）からなる透明電極２で構成され、その放電ギャップＧとは反対側の縁部が金属膜からなる金属電極３で構成される本体部と電気的に接続されている。
【００２０】
溝１１の側壁１１ａには対となる行電極Ｘ，Ｙの突出部の先端部（透明電極２，２の放電ギャップ近傍の一部）が対向する対向部が形成され、第１誘電体層４ａの透明中間層１０の溝１１に対応した部分には凹部２１が形成される。従って、凹部２１内の透明電極２，２が対向する部分の電位分布は、図５に示すように一様な分布となり、電界強度が強くなる。放電は、この対向部から始まるため、結果的に放電開始電圧を下げることができる。この対向部の電位分布は、隔壁の高さやアドレス電位の影響を受けにくいため、放電特性が安定する。
【００２１】
また、上述の誘電体層４の凹部２１により隔壁と保護層５の間に隙間が生じるが、突出部を構成する透明電極２を画素セル（放電セル）毎に島状に独立させているため、隣接セルの誤放電を防ぐことができる。さらに、金属電極３上の誘電体層４の表面を他の部分に対して突出させる第２誘電体層４ｂにより、放電の不要な広がりを抑制でき、隣接する放電セルの誤放電を防ぐことができる。
【００２２】
次に本発明の第２実施形態について図６及び図７に基づいて説明する。図６は、第３実施形態によるＰＤＰの平面図、図７は、図６のＰＤＰのＡ−Ａ方向の断面図を示している。図４と同じ構成部分については、同じ符号を用い詳細な説明は省略する。
【００２３】
図６及び図７において、上述の第１実施形態との相違点は、前面ガラス基板１上に放電ギャップＧの幅と同程度の幅を有する溝１２を直接設け、溝１２の側壁１２ａに行電極Ｘ，Ｙの対向する突出部の先端部（透明電極２，２の放電ギャップＧ近傍の一部）を配置し、透明電極２，２を放電ギャップＧ近傍の幅広部とそれに続く幅狭部で構成し、誘電体層４を溝１２の底部１２ｂの中央部を除いて行電極Ｘ，Ｙを覆うように形成したことにある。
【００２４】
図６及び図７において、行電極Ｘ，Ｙの対向する突出部（透明電極２，２の幅広部）間の点線で囲まれた部分２２は、溝１２に対応する部分を示す。尚、図示していないが、第２実施形態と同様に誘電体層４に重ねて金属電極３上に第２誘電体層（嵩上げ誘電体層）を設けるようにしても良い。
【００２５】
溝１２の底部１２ｂの中央部、すなわち放電ギャップＧ上に誘電体層４を形成していないため、行電極Ｘ，Ｙの対向部の放電空間が広がり、第１実施形態に比して放電開始電圧をより低くすることができる。また透明電極２，２をＴ字状、すなわち放電ギャップＧ近傍の幅広部とそれに続く幅狭部で構成しているため、放電開始電圧を低く保ったまま、放電電流を減らせることができる。
【００２６】
次に本発明の第３実施形態について図８及び図９に基づいて説明する。図８は、第３実施形態によるＰＤＰの平面図、図９は、図８のＰＤＰのＡ−Ａ方向の断面図を示している。図４と同じ構成部分については、同じ符号を用い詳細な説明は省略する。
【００２７】
図８及び図９において、上述の第１実施形態との相違点は、行電極Ｘ，Ｙを幅広いＩＴＯ等の透明導電膜からなる帯状の透明電極２とその導電性を補う幅の狭い金属膜からなる金属電極（バス電極）３とで構成し、透明中間層１０に隔壁９に対向する領域で断続する溝１３を設け、溝１３の側壁１３ａに行電極Ｘ，Ｙの対向する突出部の先端部（透明電極２，２の放電ギャップＧ近傍の一部）を配置し、誘電体層４を、溝１３の底部１３ｂの中央部を除いて行電極Ｘ，Ｙを覆うように形成したことにある。
【００２８】
図８において、行電極Ｘ，Ｙの対向する突出部（透明電極２，２の幅広部）間の点線で囲まれた部分２３は、溝１３に対応する部分を示す。尚、図示していないが、第１実施形態と同様に誘電体層４に重ねて金属電極３上に第２誘電体層（嵩上げ誘電体層）を設けるようにしても良い。
【００２９】
溝１３の底部１３ｂの中央部に誘電体層４を形成していないため、行電極Ｘ，Ｙの対向部の放電空間が広がり、第１実施形態に比して放電開始電圧をより低くすることができる。また、溝１３は隔壁９に対向する領域で途切れているため、隔壁９と保護層５の間に隙間が生じず、透明電極２を帯状に形成しても隣接セルの誤放電が起こりにくくなる。
【００３０】
次に本発明の第４実施形態について図１０及び図１１に基づいて説明する。図１０は第４実施形態によるＰＤＰの平面図、図１１は図１０のＰＤＰのＡ−Ａ方向の平面図を示している。図６及び図７と同じ構成部分については、同じ符号を用い詳細な説明は省略する。
【００３１】
図１０及び図１１において、上述の第２実施形態との相違点は、放電セル内に行電極Ｘ，Ｙの伸長方向に平行に配列された複数の溝１２を設け、各溝１２の側壁１２ａに放電ギャップＧを介して対向する透明電極２，２を配置したことにある。
【００３２】
行電極Ｘ，Ｙは、本体部（金属電極３）と放電セル毎に本体部から突出する突出部（透明電極２）を有し、突出部は、本体部（金属電極３）の伸長方向（第１の方向）とは直交する方向（第２の方向）に伸びる第１の部分２ａと第１の部分から所定間隔をもって第１の方向に伸び第２の部分２ｂ及び第３の部分２ｃとで構成されている。行電極Ｘの透明電極２の第２の部分２ｂと行電極Ｙの透明電極２の第３の部分２ｃ、行電極Ｘの透明電極２の第３の部分２ｃと行電極Ｙの透明電極２の第３の部分２ｃ、行電極Ｘの透明電極２の第３の部分２ｃと行電極Ｙの透明電極２の第２の部分２ｂのそれぞれ放電ギャップＧを介して対向する一部が各溝１２の側壁１２ａに配置されている。
【００３３】
上述の第１乃至第３実施形態の場合、放電が凹部又は溝内及びその近傍に制限され、発光面積が少なくなり、輝度が低下する恐れがあるが、本実施形態では、複数の溝内に行電極Ｘ，Ｙの対向部を設けることにより発光面積を増大させ、輝度の低下を防止することができる。
【００３４】
次に本発明の第５実施形態について図１２及び図１３に基づいて説明する。図１２は第５実施形態によるＰＤＰの平面図、図１３は図１２のＰＤＰのＡ−Ａ方向の断面図を示している。図１０及び図１１と同じ構成部分については、同じ符号を用い詳細な説明は省略する。上述の第４実施形態との相違点は、突出部の第１の部分２ａを隔壁９に対応する位置に配置し、金属電極で構成したことにある。
【００３５】
上述の第４及び第５実施形態において、溝１２を放電セル毎に断続して形成するようにしても良い。この場合、溝１２は隔壁９に対向する領域で途切れているため、隔壁９と誘電体層４の間に隙間が生じず、透明電極２を帯状に形成しても隣接セルの誤放電が起こりにくくなる。また、上述の第４及び第５実施形態では、溝１２を前面ガラス基板１に直接設ける例を示したが、上述の第２実施形態と同様に前面ガラス基板１上に透明中間層を設け、透明中間層に溝１２を形成するようにしても良い。
【００３６】
さらに、透明電極を溝１２内にのみ配置するように形成しても良い。また、上述の第５実施形態では、突出部の第１の部分２ａを金属電極で構成する例を示したが突出部の第１の部分２ａを透明電極で構成するようにしても良い。また、金属電極は、第２の方向において隣接する放電セル間で共通化しても良い。
【００３７】
【発明の効果】
以上、説明したように、本発明によるプラズマディスプレイパネルによれば、溝内に放電ギャップ近傍の電極の一部を形成したので、溝内に電極の対向部が形成され、対向部の電位分布が一様となり、電界強度が増し、その結果放電開始電圧が低下する。よって、発光特性の安定したプラズマディスプレイパネルを提供できる。
【図面の簡単な説明】
【図１】１の面放電型ＰＤＰの平面図である。
【図２】図１の断面図である。
【図３】図１のＰＤＰにおける電位分布を説明するための図である。
【図４】本発明の第１実施形態による面放電型ＰＤＰを説明するための断面図である。
【図５】図４の面放電型ＰＤＰにおける電位分布を説明するための図である。
【図６】本発明の第２実施形態による面放電型ＰＤＰを説明するための平面図である。
【図７】図６の断面図である。
【図８】本発明の第３実施形態による面放電型ＰＤＰを説明するための平面図である。
【図９】図８の断面図である。
【図１０】本発明の第４実施形態による面放電型ＰＤＰを説明するための平面図である。
【図１１】図１０の断面図である。
【図１２】本発明の第５実施形態による面放電型ＰＤＰを説明するための平面図である。
【図１３】図１２の断面図である。
【図１４】従来の面放電型ＰＤＰを説明するための断面図である。
【図１５】従来の面放電型ＰＤＰにおける電位分布を説明するための図である。
【符号の説明】
１・・・・前面ガラス基板
２・・・・透明電極
３・・・・金属電極（バス電極）
４・・・・誘電体層
５・・・・保護層
６・・・・背面ガラス基板
７・・・・蛍光体層
８・・・・放電空間
９・・・・隔壁
１０・・・・透明中間層
１１，１２，１３・・・・溝
Ｄ・・・・列電極
Ｇ・・・・放電ギャップ
Ｘ，Ｙ・・・・行電極
【図１】
0003688114.tif 000002
【図２】
0003688114.tif 000003
【図３】
0003688114.tif 000004
【図４】
0003688114.tif 000005
【図５】
0003688114.tif 000006
【図６】
0003688114.tif 000007
【図７】
0003688114.tif 000008
【図８】
0003688114.tif 000009
【図９】
0003688114.tif 000010
【図１０】
0003688114.tif 000011
【図１１】
0003688114.tif 000012
【図１２】
0003688114.tif 000013
【図１３】
0003688114.tif 000014
【図１４】
0003688114.tif 000015
【図１５】
0003688114.tif 000016